(57)【要約】【課題】非記録領域が記録部を通過する際の媒体の送り速度を、用途に応じて変更することができる記録装置を提供する。【解決手段】転写用紙１００を送る送り部と、転写用紙１００に対してインクを付与することによって記録を行う記録部５と、記録部５よりも転写用紙１００の送り下流側に設けられ、インクが付与された転写用紙１００の乾燥を促進する乾燥部６と、転写用紙１００のうち記録部５によって記録が行われない非記録領域４０ｂが記録部５を通過する際の、転写用紙１００の送り速度を選択するための速度選択操作を受け付ける操作部とを備えた。【選択図】図３
2016147381.tif 000002
【特許請求の範囲】
【請求項１】
媒体を送る送り部と、
前記媒体に対してインクを付与することによって記録を行う記録部と、
前記記録部よりも前記媒体の送り下流側に設けられ、前記インクが付与された前記媒体の乾燥を促進する乾燥部と、
前記媒体のうち前記記録部によって記録が行われない非記録領域が前記記録部を通過する際の、前記媒体の送り速度を選択するための速度選択操作を受け付ける操作部と、
を備えたことを特徴とする記録装置。
【請求項２】
前記記録部は、前記媒体の間欠送りの停止時に、前記媒体に対して前記インクを付与し、
前記操作部は、前記速度選択操作として、前記非記録領域が前記記録部を通過する際に前記送り部が前記媒体を間欠的に送るか連続的に送るかを、選択するための操作を受け付けることを特徴とする請求項１に記載の記録装置。
【請求項３】
前記操作部は、前記速度選択操作として、前記非記録領域が前記記録部を通過する際の、前記媒体の間欠送りの停止時間を選択するための操作を受け付けることを特徴とする請求項２に記載の記録装置。
【請求項４】
前記媒体のうち、前記記録部によって前記インクが付与されない領域であり、且つ、前記媒体の送り方向における長さが所定長さよりも長い領域を、前記非記録領域として認識する非記録領域認識部、をさらに備えたことを特徴とする請求項１ないし３のいずれか一項に記載の記録装置。
【請求項５】
前記記録部は、前記インクを吐出する複数のノズルが並んだノズル列、を有し、
前記非記録領域認識部は、前記媒体の送り方向における前記ノズル列の長さを、前記所定長さとして、前記非記録領域の認識を行うことを特徴とする請求項４に記載の記録装置。
【請求項６】
前記操作部が受け付けた前記速度選択操作に基づいて、前記非記録領域が前記記録部を通過する際の、前記乾燥部の乾燥能力が変更されるように、前記乾燥部を制御する乾燥制御部、をさらに備えたことを特徴とする請求項１ないし５のいずれか一項に記載の記録装置。
【発明の詳細な説明】
【技術分野】
【０００１】
本発明は、媒体を巻き取る巻取り部を備えた記録装置に関するものである。
【背景技術】
【０００２】
従来、ロール紙を送る送り部と、送り部による媒体の間欠送りの停止時に、媒体に対してインクを付与することにより記録を行う記録ヘッドと、記録ヘッドよりもロール紙の送り下流側に設けられ、インクが付与されたロール紙の乾燥を促進する定着ヒーターと、ロール紙のうち記録ヘッドによって記録が行われない空白領域が記録ヘッドを通過する際に、記録時の送り速度よりも高速でロール紙を送るように制御する制御部と、を備えた記録装置が知られている（特許文献１参照）。
【先行技術文献】
【特許文献】
【０００３】
【特許文献１】特開２０１３−０２８０９０号公報
【発明の概要】
【発明が解決しようとする課題】
【０００４】
本発明者は、以下の課題を見出した。
従来の記録装置のように、非記録領域が記録部を通過する際に、記録時の送り速度を超える高速で媒体を送る記録装置では、プリントスループットを向上させることができる。しかしながら、この場合、非記録領域よりも送り下流側に設けられた記録領域についても、乾燥部を高速で通過することになるため、乾燥部により記録領域を十分に乾燥させることができず、媒体の乾燥性が重視される用途には適さない。一方、非記録領域が記録部を通過する際に、記録時の送り速度以下の低速で媒体を送る記録装置では、非記録領域よりも送り下流側に設けられた記録領域についても、乾燥部を低速で通過することになるため、乾燥部により記録領域を十分に乾燥させることができる。しかしながら、プリントスループットが重視される用途には適さない。
【０００５】
本発明は、非記録領域が記録部を通過する際の媒体の送り速度を、用途に応じて変更することができる記録装置を提供することを課題としている。
【課題を解決するための手段】
【０００６】
本発明の記録装置は、媒体を送る送り部と、媒体に対してインクを付与することによって記録を行う記録部と、記録部よりも媒体の送り下流側に設けられ、インクが付与された媒体の乾燥を促進する乾燥部と、媒体のうち記録部によって記録が行われない非記録領域が記録部を通過する際の、媒体の送り速度を選択するための速度選択操作を受け付ける操作部と、を備えたことを特徴とする。
【０００７】
この構成によれば、操作部が受け付けた速度選択操作に基づいて、非記録領域が記録部を通過する際の媒体の送り速度（以下「非記録領域通過速度」という。）が変更される。このため、例えば、非記録領域通過速度として速い速度を選択するための操作を操作部が受け付けた場合には、非記録領域通過速度が高速になる。また、非記録領域通過速度として低い速度を選択するための操作を操作部が受け付けた場合には、非記録領域通過速度が低速になる。したがって、ユーザーは、プリントスループットが重視される場合には、高速の非記録領域通過速度を選択するための操作を操作部に対して行えばよい。また、ユーザーは、媒体の乾燥性が重視される場合には、低速の非記録領域通過速度を選択するための操作を操作部に対して行えばよい。このように、記録装置は、非記録領域が記録部を通過する際の媒体の送り速度（非記録領域通過速度）を、用途に応じて変更することができる。
【０００８】
この場合、記録部は、媒体の間欠送りの停止時に、媒体に対してインクを付与し、操作部は、速度選択操作として、非記録領域が記録部を通過する際に送り部が媒体を間欠的に送るか連続的に送るかを、選択するための操作を受け付けることが好ましい。
【０００９】
この構成によれば、非記録領域が記録部を通過する際に送り部が媒体を連続的に送ることを選択するための操作を、操作部が受け付けた場合には、非記録領域が記録部を通過する際に、媒体が連続的に送られるため、非記録領域通過速度が高速になる。一方、非記録領域が記録部を通過する際に送り部が媒体を間欠的に送ることを選択するための操作を、操作部が受け付けた場合には、非記録領域が記録部を通過する際に、記録時と同様に媒体が間欠的に送られるため、非記録領域通過速度が低速になる。
【００１０】
この場合、操作部は、速度選択操作として、非記録領域が記録部を通過する際の、媒体の間欠送りの停止時間を選択するための操作を受け付けることが好ましい。
【００１１】
この構成によれば、操作部が受け付けた、間欠送りの停止時間を選択するための操作に基づいて、間欠送りの停止時間が変更される。例えば、間欠送りの停止時間として長い時間を選択するための操作を操作部が受け付けた場合には、間欠送りの停止時間が長くなり、間欠送りをするなかでも、非記録領域通過速度がより低速になる。また、間欠送りの停止時間として短い時間を選択するための操作を操作部が受け付けた場合には、間欠送りの停止時間が短くなり、間欠送りをするなかでは、非記録領域通過速度が比較的高速になる。このため、非記録領域通過速度をより細かく変更することが可能となる。
【００１２】
この場合、媒体のうち、記録部によってインクが付与されない領域であり、且つ、媒体の送り方向における長さが所定長さよりも長い領域を、非記録領域として認識する非記録領域認識部、をさらに備えたことが好ましい。
【００１３】
この構成によれば、媒体のうち、記録部によってインクが付与されない領域であり、且つ、媒体の送り方向における長さが所定長さよりも長い箇所が、非記録領域として認識される。
【００１４】
この場合、記録部は、インクを吐出する複数のノズルが並んだノズル列、を有し、非記録領域認識部は、媒体の送り方向におけるノズル列の長さを、所定長さとして、非記録領域の認識を行うことが好ましい。
【００１５】
この構成によれば、媒体の送り方向におけるノズル列の長さを基準として、非記録領域が認識される。
【００１６】
この場合、操作部が受け付けた速度選択操作に基づいて、非記録領域が記録部を通過する際の、乾燥部の乾燥能力が変更されるように、乾燥部を制御する乾燥制御部、をさらに備えたことが好ましい。
【００１７】
この構成によれば、速度選択操作に基づいて、非記録領域が記録部を通過する際の乾燥部の乾燥能力が変更される。
【図面の簡単な説明】
【００１８】
【図１】本発明の一実施形態に係る記録装置の概略構成図である。
【図２】図１に示した記録装置の制御ブロック図である。
【図３】図１に示した記録装置の制御部が非記録領域を認識する方法について説明するための図である。
【図４】図１に示した記録装置の操作部が受け付けるモード選択操作について説明するための図である。
【図５】図１に示した記録装置の制御部に記憶された制御テーブルを示す図である。
【発明を実施するための形態】
【００１９】
以下、添付の図面を参照し、本発明の一実施形態に係る記録装置１について説明する。この記録装置１は、転写用紙１００に対し、昇華型インクをインクジェット方式で付与することにより画像を形成する。画像が形成された転写用紙１００は、熱転写装置に供せされ、布帛等の染色対象物に重ねられた状態で加熱されることにより、転写用紙１００に形成された画像が染色対象物に転写される。
【００２０】
図１を参照して、記録装置１の概略構成について説明する。記録装置１は、媒体送り機構２と、プラテン３と、記録部５と、乾燥部６と、これらを支持する支持フレーム７とを備えている。また、図１では図示省略したが、記録装置１は、操作部８と、制御部９とを備えている（図２参照）。
【００２１】
媒体送り機構２は、連続紙である転写用紙１００を、ロール・ツー・ロール方式で送る。媒体送り機構２は、繰出し部１１と、送り部１２と、巻取り部１３とを備えている。
【００２２】
繰出し部１１には、転写用紙１００がロール状に巻かれた繰出し側ロール体１０１がセットされる。繰出し部１１は、繰出し側支持部１４と、繰出しモーター１５（図２参照）とを備えている。繰出し側支持部１４は、繰出し側ロール体１０１を回転可能に支持する。繰出しモーター１５は、繰出し側ロール体１０１を回転させる駆動源となる。繰出しモーター１５が稼動すると、繰出し側ロール体１０１が繰出し方向に回転し、繰出し側ロール体１０１から転写用紙１００が繰り出される。
【００２３】
送り部１２は、繰出し側ロール体１０１から繰り出された転写用紙１００を、巻取り部１３に向けて送る。送り部１２は、ローラー対１６と、送りモーター１７（図２参照）とを備えている。なお、ローラー対１６の個数は特に限定されるものではなく、転写用紙１００の送り経路に沿って複数を並び設けてもよい。ローラー対１６は、駆動ローラー１８と従動ローラー１９とを備えている。駆動ローラー１８は、送りモーター１７から動力が伝達されることにより回転する。従動ローラー１９は、駆動ローラー１８に対して従動回転する。駆動ローラー１８と従動ローラー１９との間に、転写用紙１００が挟持される。送りモーター１７は、駆動ローラー１８を回転させる駆動源となる。送りモーター１７が稼動すると、駆動ローラー１８が回転し、駆動ローラー１８に向かって押し当てられる従動ローラー１９が駆動ローラー１８に従動し回転する。これにより、駆動ローラー１８と従動ローラー１９との間に挟持された転写用紙１００が、巻取り部１３に向けて送り出される。
【００２４】
巻取り部１３は、送られてきた転写用紙１００をロール状に巻き取る。巻取り部１３は、巻取り側支持部２２と、巻取りモーター２３（図２参照）とを備えている。巻取り側支持部２２は、巻取り用の紙管２４を回転可能に支持する。紙管２４には、転写用紙１００の先端部が取り付けられている。紙管２４は、巻取りモーター２３からギア列を介して動力が伝達されることにより回転する。巻取りモーター２３は、紙管２４を回転させる駆動源となる。巻取りモーター２３が稼動すると、紙管２４が巻取り方向に回転し、紙管２４に転写用紙１００が巻き取られる。紙管２４に転写用紙１００が巻き取られることにより形成されたロール体を、巻取り側ロール体１０２という。
【００２５】
プラテン３は、ローラー対１６よりも転写用紙１００の送り下流側に設けられている。プラテン３は、上面を通過する転写用紙１００を支持する。プラテン３の上面には、複数の吸引穴２６が設けられている。吸引穴２６は、図示しない吸引ファンに連なっている。吸引ファンが稼動すると、吸引穴２６に負圧が作用し、プラテン３の上面に転写用紙１００が吸着される。これにより、プラテン３の上面から転写用紙１００が浮き上がることが抑制され、転写用紙１００が記録部５の記録ヘッド２７（後述する）と干渉することが防止される。
【００２６】
記録部５は、プラテン３の上面に対向して設けられている。記録部５は、キャリッジ２８と、キャリッジ２８に搭載された記録ヘッド２７とを備えている。記録ヘッド２７は、昇華型インクを吐出する複数のノズル３４が一列に並んだノズル列３５を有する（図３参照）。なお、ノズル列３５を構成するノズル３４のうち、両端部に位置するそれぞれ１個ないし複数個のノズル３４については、昇華型インクを吐出しない不吐出ノズルとなっている（図３では、昇華型インクを吐出する吐出ノズルを白丸で、昇華型インクを吐出しない不吐出ノズルを黒丸で示す。）。記録ヘッド２７は、プラテン３の上面に吸着された転写用紙１００に対して、ノズル３４から昇華型インクを吐出する。記録ヘッド２７が搭載されたキャリッジ２８は、転写用紙１００の送り方向Ｆと交差する方向に、往復移動可能に構成されている。
【００２７】
乾燥部６は、記録部５よりも転写用紙１００の送り下流側に設けられている。乾燥部６は、媒体支持部であるアルミプレート３１と、アルミプレート３１の裏面に設けられたチューブヒーター３２とを備えている。チューブヒーター３２が発熱することで、昇華型インクが付与された転写用紙１００がアルミプレート３１の表面を通過する際に、転写用紙１００の乾燥が促進される。なお、媒体支持部はアルミプレート３１ではなく、他の材質の部材であってもよい。また、媒体支持部を加熱する部材としてはチューブヒーター３２に限定されず、媒体支持部の温度を上昇させるものであればよい。
【００２８】
支持フレーム７は、バー部材３３を有している。バー部材３３は、乾燥部６と巻取り部１３との間において、転写用紙１００の送り経路を構成している。
【００２９】
以上のように構成された記録装置１は、媒体送り機構２による転写用紙１００の間欠送りの停止時に、キャリッジ２８が移動しながら記録ヘッド２７から昇華型インクを吐出する動作と、媒体送り機構２が転写用紙１００を間欠送りする動作とを、交互に繰り返し行う。これにより、転写対象物に転写される画像が転写用紙１００に形成される。
【００３０】
図２を参照して、記録装置１の制御系について説明する。操作部８は、ユーザーからの各種操作を受け付ける。操作部８は、選択肢を表示するディスプレイと、表示された選択肢を選択・決定するための各種キーとを備えている。なお、操作部８は、タッチパネルなど、他の構成であってもよい。
【００３１】
制御部９は、図示しないＣＰＵ（Central Processing Unit）、ＲＯＭ（Read Only Memory）、ＲＡＭ（Random Access Memory）などを備えている。制御部９のＣＰＵは、ＲＯＭからプログラムをロードしてＲＡＭを用いて実行し、記録装置１の各部を制御する。また、制御部９には、図示しないホスト装置（例えばパソコン）が通信可能に接続されている。制御部９は、印刷画像を表す画像データを、ホスト装置などから取得する。制御部９は、画像データに基づいて、記録ヘッド２７の吐出動作を制御する。
【００３２】
制御部９は、転写用紙１００のうち記録部５によって記録が行われる記録領域４０ａ（図３参照）が記録部５を通過する際には、間欠送りの停止時間ｔ［ｓｅｃ］がｔaとなるように、送り部１２を制御し、また、乾燥部６の目標温度Ｔ［℃］をＴaとして、乾燥部６を制御する。
【００３３】
ここで、制御部９が、転写用紙１００のうち記録部５によって記録が行われない非記録領域４０ｂ（図３参照）が記録部５を通過する際には、転写用紙１００が連続的に送られるように送り部１２を制御すれば、プリントスループットを向上させることができる。しかしながら、この場合、非記録領域４０ｂよりも送り下流側に設けられた記録領域４０ａについても、乾燥部６を高速で通過することになるため、乾燥部６により転写用紙１００を十分に乾燥させることができず、転写用紙１００の乾燥性が重視される用途には適さない。一方、非記録領域４０ｂが記録部５を通過する際に、転写用紙１００が間欠的に送られるように、制御部９が、送り部１２を制御すれば、非記録領域４０ｂよりも送り下流側に設けられた記録領域４０ａについても、乾燥部６を低速で通過することになるため、乾燥部６により転写用紙１００を十分に乾燥させることができる。しかしながら、プリントスループットが重視される用途には適さない。
【００３４】
そこで、制御部９は、転写用紙１００のうち記録部５によって記録が行われない非記録領域４０ｂ（図３参照）が記録部５を通過する際には、後述するように、選択された送りモードに応じて設定した間欠送りの停止時間ｔに基づいて、送り部１２を制御し、選択された送りモードに応じて設定した乾燥部６の目標温度Ｔに基づいて、乾燥部６を制御するようにしている。以下、制御部９による非記録領域４０ｂの認識方法、および操作部８が受け付けるモード選択操作、について順に説明する。
【００３５】
図３を参照して、制御部９による非記録領域４０ｂの認識方法について説明する。ここでは、転写用紙１００の送り方向Ｆの下流側から順に、記録ヘッド２７によって昇華型インクが付与される領域Ａ、昇華型インクが付与されない領域Ｂ、昇華型インクが付与される領域Ｃ、昇華型インクが付与されない領域Ｄ、昇華型インクが付与される領域Ｅが並んでいるものとする。制御部９は、画像データに基づいて、記録部５によって昇華型インクが付与される領域を、記録領域４０ａとして認識する。また、制御部９は、画像データに基づいて、記録部５によって昇華型インクが付与されない領域であり、且つ、転写用紙１００の送り方向Ｆにおける長さ（以下「領域長Ｌａ」という。）が、送り方向Ｆにおけるノズル列３５の長さ（以下「ノズル列長Ｌｂ」という。）よりも短い領域を、記録領域４０ａとして認識し、領域長Ｌａがノズル列長Ｌｂよりも長い領域を、非記録領域４０ｂとして認識する。
なお、ノズル列長Ｌｂは、不吐出ノズルを除いたノズル列３５の長さを意味する。
【００３６】
そのため、制御部９は、記録部５によって昇華型インクが付与される領域Ａ、領域Ｃおよび領域Ｅを、記録領域４０ａとして認識する。また、制御部９は、記録部５によって昇華型インクが付与されない領域Ｂおよび領域Ｄのうち、領域Ｂについては、領域長Ｌａがノズル列長Ｌｂよりも長いため、非記録領域４０ｂとして認識し、領域Ｃについては、領域長Ｌａがノズル列長Ｌｂよりも短いため、記録領域４０ａとして認識する。
【００３７】
図４および図５を参照して、操作部８が受け付けるモード選択操作について説明する。操作部８は、所定のキー操作が為されると、モード選択画面５０を表示する。モード選択画面５０には、複数の送りモード（例えば、送りモード０〜送りモード３の４つの送りモード）が選択可能に表示される。すなわち、モード選択画面５０には、選択候補となる送りモードが、白黒反転して表示される。操作部８は、モード選択画面５０に表示された複数の送りモードから、１つの送りモードを選択するための操作を受け付ける。
【００３８】
制御部９は、操作部８がモード選択操作を受け付けると、図５に示した制御テーブルを参照し、非記録領域４０ｂが記録部５を通過する際の、間欠送りの停止時間ｔおよび乾燥部６の目標温度Ｔを設定する。この制御テーブルは、予め制御部９に記憶されている。例えば、操作部８が送りモード１の選択操作を受け付けた場合には、制御部９は、間欠送りの停止時間ｔをｔ1に設定し、乾燥部６の目標温度ＴをＴ1に設定する。これにより、制御部９は、非記録領域４０ｂが記録部５を通過する際に、設定した間欠送りの停止時間ｔ1に基づいて、送り部１２を制御する。また、制御部９は、非記録領域４０ｂが記録部５を通過する際に、設定した目標温度Ｔ1に基づいて、乾燥部６を制御する。
【００３９】
ここで、間欠送りの停止時間ｔが０の場合、つまり送りモード０が選択された場合には、転写用紙１００が、間欠的ではなく、連続的に送られる。また、間欠送りの停止時間ｔについては、０＜ｔ1＜ｔ2＜ｔ3＝ｔaである。そのため、非記録領域通過速度Ｖbは、送りモード０、送りモード１または送りモード２が選択された場合は、記録領域通過速度Ｖaよりも速くなり、送りモード３が選択された場合は、記録領域通過速度Ｖaと等しくなる。
なお、記録領域通過速度Ｖaとは、記録領域４０ａが記録部５を通過する際の送り速度を意味し、非記録領域通過速度Ｖbとは、非記録領域４０ｂが記録部５を通過する際の送り速度を意味する。
【００４０】
乾燥部６の目標温度Ｔについては、Ｔ0＞Ｔ1＞Ｔ2＞Ｔ3＝Ｔaである。そのため、非記録領域通過時乾燥能力Ｗbは、送りモード０、送りモード１または送りモード２が選択された場合は、記録領域通過時乾燥能力Ｗaよりも高くなり、送りモード３が選択された場合は、記録領域通過時乾燥能力Ｗaと等しくなる。
なお、記録領域通過時乾燥能力Ｗaとは、記録領域４０ａが記録部５を通過する際の乾燥部６の乾燥能力を意味し、非記録領域通過時乾燥能力Ｗbとは、非記録領域４０ｂが記録部５を通過する際の乾燥部６の乾燥能力を意味する。
【００４１】
以上のように、本実施形態の記録装置１によれば、操作部８が受け付けたモード選択操作に基づいて、非記録領域通過速度Ｖbが変更される。具体的には、送りモード０の選択操作を、操作部８が受け付けた場合には、非記録領域４０ｂが記録部５を通過する際に、転写用紙１００が連続的に送られるため、非記録領域通過速度Ｖbが高速になる。一方、送りモード１、送りモード２または送りモード３の選択操作を、操作部８が受け付けた場合には、非記録領域４０ｂが記録部５を通過する際に、記録時と同様に転写用紙１００が間欠的に送られるため、非記録領域通過速度Ｖbが低速になる。したがって、ユーザーは、プリントスループットを重視する場合には、送りモード０を選択する操作を操作部８に対して行えばよい。また、ユーザーは、転写用紙１００の乾燥性を重視する場合には、送りモード１、送りモード２または送りモード３を選択する操作を操作部８に対して行えばよい。このように、記録装置１は、非記録領域４０ｂが記録部５を通過する際の転写用紙１００の送り速度（非記録領域通過速度Ｖb）を、用途に応じて変更することができる。
【００４２】
本実施形態の記録装置１によれば、操作部８が受け付けたモード選択操作に基づいて、間欠送りの停止時間ｔが変更される。例えば、送りモード３の選択操作を、操作部８が受け付けた場合には、間欠送りの停止時間ｔがｔ3と長くなり、間欠送りをする送りモード１〜３のなかでも、非記録領域通過速度Ｖbがより低速になる。また、送りモード１の選択操作を、操作部８が受け付けた場合には、間欠送りの停止時間ｔがｔ1と短くなり、間欠送りをする送りモード１〜３のなかでは、非記録領域通過速度Ｖbが比較的高速になる。このため、非記録領域通過速度Ｖbをより細かく設定することが可能となる。ユーザーは、転写用紙１００の乾燥性を特に重視する場合には、送りモード３を選択する操作を操作部８に対して行えばよい。また、ユーザーは、転写用紙１００の乾燥性を重視すると共にプリントスループットもある程度確保したい場合には、送りモード１を選択する操作を操作部８に対して行えばよい。
【００４３】
本実施形態の記録装置１によれば、操作部８が受け付けたモード選択操作に基づいて、非記録領域通過時乾燥能力Ｗbが変更される。具体的には、非記録領域通過速度Ｖbが高速になるほど、非記録領域通過時乾燥能力Ｗbが高くなるように変更される。これにより、非記録領域４０ｂが記録部５を通過する際に、転写用紙１００が高速で送られる場合にも、転写用紙１００の乾燥性をある程度確保することができる。
【００４４】
なお、制御部９は、「非記録領域認識部」の一例である。また、制御部９は、「乾燥制御部」の一例である。転写用紙１００は「媒体」の一例である。
本発明は上記した実施形態に限定されず、その趣旨を逸脱しない範囲で種々の構成を採用可能であることは言うまでもない。例えば、本実施形態は、以下のような形態に変更することができる。
【００４５】
操作部８は、非記録領域通過速度Ｖbを選択するための速度選択操作として、モード選択操作に代えて、非記録領域通過速度Ｖbを直接選択する操作を受け付ける構成であってもよい。また、操作部８は、速度選択操作として、非記録領域４０ｂが記録部５を通過する際に送り部１２が転写用紙１００を間欠的に送るか連続的に送るかを、直接選択する操作を受け付ける構成であってもよい。
【００４６】
各送りモードにおける乾燥部６の目標温度Ｔは、上述したように、Ｔ0＞Ｔ1＞Ｔ2＞Ｔ3であるが、これに限定されるものではなく、例えば、Ｔ0＜Ｔ1＜Ｔ2＜Ｔ3であってもよい。この場合、非記録領域通過速度Ｖbが高速になるほど、非記録領域通過時乾燥能力Ｗbが低くなるように変更される。これにより、転写用紙１００の乾燥性が重視されない場合には、送りモード０を選択することにより、プリントスループットを向上させることができると共に、乾燥部６の消費エネルギーを削減することができる。
乾燥部６は、例えば、転写用紙１００に対してエアーを吹き付けるブロワーを備えたものであってもよい。この場合、制御部９は、乾燥部６の目標温度Ｔに代えて、各送りモードに対応したブロワーの風量に基づいて、乾燥部６を制御する構成であってもよい。
【００４７】
記録部５が吐出するインクは、昇華型インクに限定されるものではなく、例えば、水性インク、油性インク、紫外線硬化型インクであってもよい。また、媒体としては、転写用紙１００に限らず、例えば、普通紙やインクジェット用紙であってもよい。
【符号の説明】
【００４８】
１      ：記録装置
２      ：媒体送り機構
５      ：記録部
６      ：乾燥部
８      ：操作部
１２    ：送り部
４０ａ  ：記録領域
４０ｂ  ：非記録領域
１００  ：転写用紙
【図１】
2016147381.tif 000003
【図２】
2016147381.tif 000004
【図３】
2016147381.tif 000005
【図４】
2016147381.tif 000006
【図５】
2016147381.tif 000007